(57)【要約】【課題】神仏具が転倒したとしても、ロウソクや線香が神仏具から転がり出るのを防止するとともに神仏具内でロウソクや線香を高い確率で消す。【解決手段】水平面内において背面部材は基台１１の底面の半径よりも大きな曲率半径で後側に湾曲するとともに前面部材１６は基台１１の底面の半径よりも大きな曲率半径で前側に湾曲し、起立状態の前面部材１６と背面部材とで形成される火袋空間３の水平面内での断面形状が基台１１の底面の直径と略同一の長軸を有する略楕円形状となる。【選択図】図１
2011127321.tif 000002
【特許請求の範囲】
【請求項１】
略円盤状または略円錐台状の基台と、
上方からの平面視で前記基台と重なるように前記基台の上面に配置された支持台と、
前記基台の上面略中央部の上方に位置するように前記支持台の上面に配置されてロウソクを支持するロウソク立てと、
前記ロウソク立ての後側で前記支持台に対して上向きに取り付けられた背面部材と、
少なくとも１つ以上の窓部と前記窓部を塞ぐように配置された耐熱性透明部材とを有し、前記支持台に対して前側に起倒可能に取り付けられ、起立時に前記背面部材と前記支持台とで前記ロウソク立てを取り囲んで内部空間を形成する前面部材と、
起立状態の前記前面部材の上端部と前記背面部材の上端部との間に配置自在に設けられて前記内部空間を換気可能に覆う天井部材とを備え、
水平面内において前記背面部材は前記基台の底面の半径よりも大きな第１の曲率半径で後側に湾曲するとともに前記前面部材は前記基台の底面の半径よりも大きな第２の曲率半径で前側に湾曲し、起立状態の前記前面部材と前記背面部材とで形成される前記内部空間の水平面内での断面形状が前記基台の底面の直径と略同一の長軸を有する略楕円形状となることを特徴とする神仏具。
【請求項２】
略円盤状または略円錐台状の基台と、
前記基台の上面略中央部に配置されてロウソクを支持するロウソク立てと、
前記ロウソク立ての後側で前記基台に対して上向きに取り付けられた背面部材と、
少なくとも１つ以上の窓部と前記窓部を塞ぐように配置された耐熱性透明部材とを有し、前記基台に対して前側に起倒可能に取り付けられ、起立時に前記背面部材と前記基台で前記ロウソク立てを取り囲んで内部空間を形成する前面部材と、
起立状態の前記前面部材の上端部と前記背面部材の上端部との間に配置自在に設けられて前記内部空間を換気可能に覆う天井部材とを備え、
水平面内において前記背面部材は前記基台の底面の半径よりも大きな第１の曲率半径で後側に湾曲するとともに前記前面部材は前記基台の底面の半径よりも大きな第２の曲率半径で前側に湾曲し、起立状態の前記前面部材と前記背面部材とで形成される前記内部空間の水平面内での断面形状が前記基台の底面の直径と略同一の長軸を有する略楕円形状となることを特徴とする神仏具。
【請求項３】
前記基台の上面略中央部の上方に位置するように配置されて線香の下端部を保持して支持する線香保持部をさらに備えた請求項１または２に記載の神仏具。
【請求項４】
略円盤状または略円錐台状の基台と、
上方からの平面視で前記基台と重なるように前記基台の上面に配置された支持台と、
前記基台の上面略中央部の上方に位置するように前記支持台の上面に配置されて線香の下端部を保持して支持する線香保持部と、
前記線香保持部の後側で前記支持台に対して上向きに取り付けられた背面部材と、
少なくとも１つ以上の窓部と前記窓部を塞ぐように配置された耐熱性透明部材とを有し、前記支持台に対して前側に起倒可能に取り付けられ、起立時に前記背面部材と前記支持台とで前記線香保持部を取り囲んで内部空間を形成する前面部材とを備え、
水平面内において前記背面部材は前記基台の底面の半径よりも大きな第１の曲率半径で後側に湾曲するとともに前記前面部材は前記基台の底面の半径よりも大きな第２の曲率半径で前側に湾曲し、起立状態の前記前面部材と前記背面部材とで形成される前記内部空間の水平面内での断面形状が前記基台の底面の直径と略同一の長軸を有する略楕円形状となることを特徴とする神仏具。
【請求項５】
略円盤状または略円錐台状の基台と、
前記基台の上面略中央部に配置されてロウソクを支持するロウソク立てと、
前記ロウソク立ての後側で前記基台に対して上向きに取り付けられた背面部材と、
少なくとも１つ以上の窓部と前記窓部を塞ぐように配置された耐熱性透明部材とを有し、前記基台に対して前側に起倒可能に取り付けられ、起立時に前記背面部材と前記基台で前記ロウソク立てを取り囲んで内部空間を形成する前面部材と、
起立状態の前記前面部材の上端部と前記背面部材の上端部との間に配置自在に設けられて前記内部空間を換気可能に覆う天井部材とを備え、
水平面内において前記背面部材は前記基台の底面の半径よりも大きな第１の曲率半径で後側に湾曲するとともに前記前面部材は前記基台の底面の半径よりも大きな第２の曲率半径で前側に湾曲し、起立状態の前記前面部材と前記背面部材とで形成される前記内部空間の水平面内での断面形状が前記基台の底面の直径と略同一の長軸を有する略楕円形状となることを特徴とする神仏具。
【請求項６】
前記背面部材および前記前面部材の直下位置で、起立状態の前記前面部材の下端部と前記背面部材の下端部とで形成される略楕円形状の開口を塞ぐように設けられた弾性部材をさらに備える請求項１ないし５のいずれか一項に記載の神仏具。
【請求項７】
前記基台の底面の直径よりも長い直径を有する略円盤形状または前記基台の底面の直径よりも長い直径を有する円を底面とする略円錐台形状を有し、前記基台に同心となるように前記基台の底面に取り付けられた補助部材をさらに備えた請求項１ないし６のいずれか一項に記載の神仏具。
【請求項８】
前記基台の底面の直径と略同一長さの短軸を有する略楕円盤形状または前記基台の底面の直径と略同一長さの短軸を有する略楕円を底面とする略楕円錐台形状を有し、長軸が前記内部空間の水平断面の長軸とほぼ一致するように前記基台の底面に取り付けられた補助部材をさらに備えた請求項１ないし６のいずれか一項に記載の神仏具。
【発明の詳細な説明】
【技術分野】
【０００１】
この発明は、墓又は室内の仏壇や祭壇等の前側に配置され、ロウソクや線香を立てるために使用される神仏具に関するものである。
【背景技術】
【０００２】
一般に、故人の冥福、神や精霊などを奉る時、墓地における墓又は室内の仏壇や祭壇等の前にロウソクを立てて火を灯すことがあり、それに際して灯籠が使用されることがある。例えば特許文献１に記載の灯籠では、器体の上面中央部に芯金が立設されており、当該芯金でロウソクを支持可能となっている。また、器体の上面周縁部に段部が設けられ、当該段部に対して透明なガラスあるいはプラスチックから製作された風除け筒体がはめ込み方式で着脱自在となっている。そして、ロウソクに火を灯した後に、風除け筒体を器体の段部にはめ込んで座着させて風によりロウソクの火が消えるのを防いでいる。また、この風除け筒体の上縁に逆Ｕ字形の固定部材をはめ込むことによって、接続支持部材となる４本の支柱を直立させるとともに、これらの支柱によって屋根状部材を支持している。また、お墓や仏壇にお供えとして線香を焚く際には上記灯籠と類似した構成の線香立てや香炉が用いられる（特許文献１の図２参照）。このように従来からロウソクや線香を立てるために、特許文献１に記載されたような神仏具（灯籠、線香立て・香炉）が用いられている。
【先行技術文献】
【特許文献】
【０００３】
【特許文献１】実開平６−２６６６０号公報（図２、図７）
【発明の概要】
【発明が解決しようとする課題】
【０００４】
このように構成された神仏具のうち灯籠では、風除け筒体と屋根状部材との間に隙間が形成されている。このため、人や動物（室内犬や猫などのペット）が灯籠に触れたり、地震などにより灯籠が転倒すると、火の灯っているロウソクが芯金から抜け落ち、風除け筒体で囲まれた火袋から隙間を介して灯籠外に転がり出ることがある。そして、その状態を放置しておくと、火災を引き起こす可能性がある。また、火の灯っているロウソクが芯金から抜け落ちずに止まっているものの、灯籠が床や地面に転倒した状態でロウソクに火がついた状態のまま維持されると、ロウソクの火が風除け筒体に直接当たって灯籠が高温状態となる。そして、このように高温となった灯籠に人が触れると、火傷を受けてしまうことがある。また、線香立てについても同様の問題が発生することがあった。
【０００５】
この発明は上記課題に鑑みなされたものであり、神仏具が転倒したとしても、ロウソクや線香が神仏具から転がり出るのを防止するとともに神仏具内でロウソクや線香を高い確率で消すことができる神仏具を提供することを目的とする。
【課題を解決するための手段】
【０００６】
この発明にかかる神仏具の第１の態様は、上記目的を達成するため、略円盤状または略円錐台状の基台と、上方からの平面視で基台と重なるように基台の上面に配置された支持台と、基台の上面略中央部の上方に位置するように支持台の上面に配置されてロウソクを支持するロウソク立てと、ロウソク立ての後側で支持台に対して上向きに取り付けられた背面部材と、少なくとも１つ以上の窓部と窓部を塞ぐように配置された耐熱性透明部材とを有し、支持台に対して前側に起倒可能に取り付けられ、起立時に背面部材と支持台とでロウソク立てを取り囲んで内部空間を形成する前面部材と、起立状態の前面部材の上端部と背面部材の上端部との間に配置自在に設けられて内部空間を換気可能に覆う天井部材とを備え、水平面内において背面部材は基台の底面の半径よりも大きな第１の曲率半径で後側に湾曲するとともに前面部材は基台の底面の半径よりも大きな第２の曲率半径で前側に湾曲し、起立状態の前面部材と背面部材とで形成される内部空間の水平面内での断面形状が基台の底面の直径と略同一の長軸を有する略楕円形状となることを特徴としている。
【０００７】
このように構成された発明では、支持台の上面に配置されたロウソク立てを前後方向から取り囲むように前面部材および背面部材がそれぞれ配置されて内部空間（火袋空間）が形成されるとともに、その内部空間を上側より覆うように天井部材が配置されている。このように形成された火袋空間内でロウソクに火が灯される。したがって、風の影響によってロウソクが消えるのを防止することができる。また、室内のカーテンなどがロウソクの火に接触するのを防止することができる。
【０００８】
一方、ロウソクに火が灯った状態で人やペットなどが灯籠に接触したり、地震の発生などにより灯籠が転倒してロウソク立てからロウソクが抜け落ちたとしても、内部空間は支持台の上面、天井部材、前面部材および背面部材で取り囲まれているため、当該内部空間内に止まり、神仏具から転がり出るのを効果的に防止することができる（後で説明する図５（ａ）参照）。しかも、抜け落ちたロウソクの芯部分は内部空間を取り囲む部材（支持台、天井部材、前面部材および背面部材）の一部に接触してロウソクの火は消される。
【０００９】
ここで、ロウソクがロウソク立てから抜け落ちずに止まる場合であっても、後で説明する図５（ｂ）に示すようにロウソクが傾いて芯部分が前面部材や背面部材に接触すると、ロウソクの火は消される。また、ロウソクがロウソク立てにしっかりと支持されたまま止まっている場合には、転倒直後もロウソクに火が灯っていることがあるが、上記のように構成された本発明では燃焼した後のガス成分が内部空間に充満していきロウソクの火が消される。すなわち、本発明では、基台は略円盤状または略円錐台状を有しており、基台の底面形状は円形であり、上方からの平面視で基台と重なるように基台の上面に支持台が配置されている。そして、背面部材は水平面内で基台の底面の半径よりも大きな第１の曲率半径で後側に湾曲しながら支持台に対して上向きに取り付けられている。また、前面部材は基台の底面の半径よりも大きな第２の曲率半径で前側に湾曲しており、起立状態で背面部材とで水平面内で略楕円断面を有する内部空間を形成している。しかも、内部空間の断面は基台の底面の直径と略同一の長軸を有する略楕円形状となっており、その短軸は基台の底面の直径よりも短い。したがって、灯籠が転倒した際には、例えば後述する図５や図６に示すように、前面部材または背面部材の湾曲凸面が床面や地面に向くとともにロウソク立てが天井部材よりも高くなるように前面部材および背面部材が傾斜した状態で安定して静止する。このため、燃焼した後のガス成分の多くは内部空間の基台側に流れて充満していき、やがてロウソクの芯部分の周辺空間にまで充満し、その結果ロウソクの火が消される。
【００１０】
また、本発明では、前面部材は少なくとも１つ以上の窓部と窓部を塞ぐように配置された耐熱性透明部材を有しているため、ロウソクの光を灯籠から耐熱性透明部材を介して取り出し可能となっている。しかも、前面部材は基台の底面の半径よりも大きな第２の曲率半径で前側に湾曲した形状を有しているため、窓部および耐熱性透明部材を幅方向（内部空間の略楕円断面における長軸方向）に広く、しかもロウソクに近づけて設けることができ、ロウソクの光を効率的に取り出すことができる。ここで、「耐熱性透明部材」とはロウソクの火により溶け出すことがない程度の耐熱性を有しながらロウソクの光を透過させる部材を意味しており、耐熱ガラスなどを用いることができる。
【００１１】
また、上記した本発明にかかる神仏具の第１の態様では、支持台に対して背面部材および前面部材を取り付けているが、基台に対して背面部材および前面部材を直接取り付けてもよい。すなわち、本発明にかかる神仏具の第２の態様は、略円盤状または略円錐台状の基台と、基台の上面略中央部に配置されてロウソクを支持するロウソク立てと、ロウソク立ての後側で基台に対して上向きに取り付けられた背面部材と、少なくとも１つ以上の窓部と窓部を塞ぐように配置された耐熱性透明部材とを有し、基台に対して前側に起倒可能に取り付けられ、起立時に背面部材と基台でロウソク立てを取り囲んで内部空間を形成する前面部材と、起立状態の前面部材の上端部と背面部材の上端部との間に配置自在に設けられて内部空間を換気可能に覆う天井部材とを備え、水平面内において背面部材は基台の底面の半径よりも大きな第１の曲率半径で後側に湾曲するとともに前面部材は基台の底面の半径よりも大きな第２の曲率半径で前側に湾曲し、起立状態の前面部材と背面部材とで形成される内部空間の水平面内での断面形状が基台の底面の直径と略同一の長軸を有する略楕円形状となることを特徴としている。
【００１２】
また、上記した本発明にかかる神仏具の第１の態様および第２の態様はいずれも灯籠として機能するものであるが、基台の上面略中央部の上方に位置するように線香保持部を配置して線香の下端部を保持して支持するように構成してもよい。例えばロウソク立てに線香保持部を直接取り付けてもよいし、ロウソク立てに対して線香保持部を並設してもよい。このように、線香保持部を設けることで線香の下端部が線香保持部により保持され、神仏具が倒れても線香は線香保持部によりしっかりと保持されるため、神仏具から転がり出るのを効果的に防止することができる。また、このように線香は線香保持部に保持されているために、転倒直後では線香は焚かれた状態のままであるが、上記のように構成された本発明ではロウソクと同様に燃焼した後のガス成分が内部空間（火袋空間であり、また香炉空間でもある）に充満して線香が消火される。
【００１３】
また、上記した本発明にかかる神仏具の第３の態様はロウソクと線香を併存させた形で墓地、仏壇や祭壇などに設置されるが、線香のみを使用するように構成してもよい。すなわち、本発明にかかる神仏具の第４の態様は、略円盤状または略円錐台状の基台と、上方からの平面視で基台と重なるように基台の上面に配置された支持台と、基台の上面略中央部の上方に位置するように支持台の上面に配置されて線香の下端部を保持して支持する線香保持部と、線香保持部の後側で支持台に対して上向きに取り付けられた背面部材と、少なくとも１つ以上の窓部と窓部を塞ぐように配置された耐熱性透明部材とを有し、支持台に対して前側に起倒可能に取り付けられ、起立時に背面部材と支持台とで線香保持部を取り囲んで内部空間を形成する前面部材とを備え、水平面内において背面部材は基台の底面の半径よりも大きな第１の曲率半径で後側に湾曲するとともに前面部材は基台の底面の半径よりも大きな第２の曲率半径で前側に湾曲し、起立状態の前面部材と背面部材とで形成される内部空間の水平面内での断面形状が基台の底面の直径と略同一の長軸を有する略楕円形状となることを特徴としている。また、本発明にかかる神仏具の第５の態様は、略円盤状または略円錐台状の基台と、基台の上面略中央部に配置されてロウソクを支持するロウソク立てと、ロウソク立ての後側で基台に対して上向きに取り付けられた背面部材と、少なくとも１つ以上の窓部と窓部を塞ぐように配置された耐熱性透明部材とを有し、基台に対して前側に起倒可能に取り付けられ、起立時に背面部材と基台でロウソク立てを取り囲んで内部空間を形成する前面部材と、起立状態の前面部材の上端部と背面部材の上端部との間に配置自在に設けられて内部空間を換気可能に覆う天井部材とを備え、水平面内において背面部材は基台の底面の半径よりも大きな第１の曲率半径で後側に湾曲するとともに前面部材は基台の底面の半径よりも大きな第２の曲率半径で前側に湾曲し、起立状態の前面部材と背面部材とで形成される内部空間の水平面内での断面形状が基台の底面の直径と略同一の長軸を有する略楕円形状となることを特徴としている。
【００１４】
このように構成された第４の態様および第５の態様にかかる神仏具においても、第３の態様と同様に、線香保持部により神仏具の転倒により線香が神仏具から転がり出るのを効果的に防止することができる。また、転倒後において、燃焼した後のガス成分が内部空間（香炉空間）に充満して線香を消火することができる。
【００１５】
ここで、背面部材および前面部材の直下位置で、起立状態の前面部材の下端部と背面部材の下端部とで形成される略楕円形状の開口を塞ぐように設けられた弾性部材をさらに設けてもよい。このように弾性部材を設けることで支持台や基台の上面と背面部材および前面部材との気密性を高めることができる。その結果、神仏具が転倒した際に、燃焼した後のガス成分が内部空間（火袋空間や香炉空間）の基台側から漏れるのをより効果的に防止して当該ガスが内部空間に充満する時間を短縮し、その結果ロウソクや線香をより短時間で消火することが可能となる。
【００１６】
また、基台の底面の直径よりも長い直径を有する略円盤形状または基台の底面の直径よりも長い直径を有する円を底面とする略円錐台形状を有し、基台に同心となるように基台の底面に取り付けられた補助部材をさらに備えてもよい。このように補助部材を設けることで神仏具の設置面積がより広がり、神仏具の転倒をより効果的に防止することができる。また、神仏具が転倒した際に、前面部材および背面部材の傾斜がより大きくなり、燃焼した後のガス成分が内部空間の基台側に流れ込む割合が増大してロウソクや線香の火をより短時間に消すことが可能となる。
【００１７】
さらに、基台の底面の直径と略同一長さの短軸を有する略楕円盤形状または基台の底面の直径と略同一長さの短軸を有する略楕円を底面とする略楕円錐台形状を有し、長軸が内部空間の水平断面の長軸とほぼ一致するように基台の底面に取り付けられた補助部材をさらに備えてもよい。このように補助部材を設けることで神仏具の設置面積がより広がり、神仏具の転倒をより効果的に防止することができる。また、補助部材の長軸が内部空間の水平断面の長軸とほぼ一致するように基台の底面に取り付けられているため、神仏具が転倒する際は、前面部材または背面部材の湾曲凸面が床面や地面に向く方向に転倒することとなる。
【図面の簡単な説明】
【００１８】
【図１】本発明にかかる神仏具の一実施形態を示す斜視図である。
【図２】図１の神仏具の側断面図である。
【図３】図２のＡ−Ａ線断面図である。
【図４】図１の神仏具を構成する天井部材を示す平面図である。
【図５】図１の神仏具が転倒した状態を示す側断面図である。
【図６】図１の神仏具が転倒した状態を示す側断面図である。
【図７】補助部材を備えた神仏具を示す斜視図である。
【図８】図７のＢ−Ｂ線断面図である。
【図９】図７と異なる形状の補助部材を示す断面図である。
【図１０】前面部材と背面部材を基台に直接取り付けた神仏具を示す斜視図である。
【図１１】本発明にかかる神仏具の他の実施形態を示す斜視図である。
【図１２】図１１に示す神仏具の断面図である。
【図１３】本発明にかかる神仏具の別の実施形態を示す斜視図である。
【発明を実施するための形態】
【００１９】
図１は本発明にかかる神仏具の一実施形態を示す斜視図であり、図２は図１の神仏具の側断面図であり、図３は図２のＡ−Ａ線断面図であり、図４は図１の神仏具を構成する天井部材を示す平面図である。なお、この明細書では、図１ないし図３に矢印で示す向きに、前後方向および上下方向を設定する。
【００２０】
神仏具１はいわゆる灯籠であり、以下のように構成されている。すなわち、神仏具１は、図１および図２に示すように、略円錐台状で例えばステンレス製などの金属製の基台１１と、上方からの平面視で基台１１と重なるように基台１１の上面に配置され、例えばステンレス製などの金属製の支持台１２と、支持台１２の上面に配置された弾性部材１３と、基台１１の上面略中央部の上方に位置するように弾性部材１３の上面に配置されてロウソク２を支持するロウソク立て１４と、ロウソク立て１４の後側で弾性部材１３を介して支持台１２に取り付けられた背面部材１５と、ロウソク立て１４の前側で弾性部材１３を介して支持台１２に前側に起倒可能に取り付けられ、起立時に背面部材１５と弾性部材１３とでロウソク立て１４を取り囲んで火袋空間（内部空間）３を形成する前面部材１６と、背面部材１５の上端部と起立状態の前面部材１６の上端部との間に配置自在に設けられた天井部材１７とを備えている。なお、基台１１は略円錐台状としているが、略円盤状としてもよい。この点については、後の実施形態においても同様である。
【００２１】
支持台１２は、図１ないし図３に示すように、平面視略Ｄ字状で、Ｄ字の直線部分が前側に位置するように、例えば溶接により基台１１に固定されている。弾性部材１３は、例えばゴム製で、全体として背面部材１５および前面部材１６の後述する形状に合わせて平面視略楕円板形状に形成されている。また、弾性部材１３の前側側部から後側に延設された矩形状の切込部が設けられており、当該切込部に対してロウソク立て１４の枠部１４１を挿入可能となっている。すなわち、ロウソク立て１４は例えばステンレス製などの金属製で前後方向に延びる枠部１４１を有しており、この枠部１４１は弾性部材１３の切込部に挿入された状態で支持台１２に固定されている。また、枠部１４１の内側に台部１４２が嵌まり込んで前後方向に移動自在に配置されている。そして、図１に一点鎖線で示すように前面部材１６を倒した状態で、把持部１４３を持って前方に引き出すことにより、ロウソク立て１４を神仏具１の外部に出して、容易にロウソク２をロウソク立て１４の芯金１４４にセットすることが可能になっている。
【００２２】
背面部材１５は、例えばステンレス製などの金属製の背面本体１５１と、この背面本体１５１の略中央部に設けられた１つの窓部１５２と、この窓部１５２を塞ぐように配置された耐熱ガラスなどの耐熱性透明部材１５３とを備えている。このように本実施形態では背面部材１５に対して窓部１５２と耐熱性透明部材１５３とを設けることで、ロウソク立て１４に立てられたロウソク２から放射される光を神仏具１の外部に導いて神仏具１の後側を照らすことが可能となっている。ただし、窓部１５２および耐熱性透明部材１５３の個数はこれに限定されるものではなく、複数個設けてもよいことは言うまでもない。また、背面側（後側）への光の取り出しが不要である場合には、背面部材１５に窓部１５２を設けないのが望ましく、背面部材１５の凹面を反射面とすることで前面側（前側）に取り出すことができる光量を増大させることができる。
【００２３】
前面部材１６は、例えばステンレス製などの金属製の前面本体１６１と、前面本体１６１の略中央部に設けられた１つの窓部１６２と、この窓部１６２を塞ぐように配置された耐熱ガラスなどの耐熱性透明部材１６３とを備えている。窓部１６２によって、ロウソク立て１４に立てられたロウソク２から放射される光を神仏具１の外部に導いて神仏具１の前側を照らすことが可能となっている。また、蝶番１６４の一片が前面部材１６の後側の下端に取り付けられ、他片が弾性部材１３の上面に取り付けられており、この蝶番１６４によって、前面部材１６は、図１および図２の矢印ＡＲ１に示すように、弾性部材１３（支持台１２）に対して前側に起倒可能になっている。なお、本実施形態では２本のコイルバネ１６５、１６５（図１）が設けられており、前面部材１６を起立側に付勢している。すなわち、これらのコイルバネ１６５、１６５の一方端はロウソク立て１４の枠部１４１に取り付けられるとともに、他方端が前面部材１６の下方端部に取り付けられている。
【００２４】
図３に示すように、水平面内において、背面部材１５は後側に湾曲し、前面部材１６は前側に湾曲している。ここで、基台１１の底面の半径をＲ０とし、背面部材１５の曲率半径をＲ１とし、前面部材１６の曲率半径をＲ２とすると、Ｒ１＞Ｒ０、Ｒ２＞Ｒ０になっている。そして、起立状態の前面部材１６と背面部材１５とで形成される火袋空間３の水平面内での断面形状は、略楕円形状になっている。また、この略楕円である火袋空間３の水平面内での断面の長軸をＬ１とし、短軸をＬ２とし、基台１１の底面の直径をＤ０（＝２×Ｒ０）とすると、Ｌ１≒Ｄ０、Ｌ２＜Ｄ０になっている。なお、この実施形態では図３に示すように背面部材１５の曲率半径Ｒ１と、前面部材１６の曲率半径Ｒ２とがほぼ同一となるように構成しているが、もちろん両曲率半径Ｒ１、Ｒ２が互いに異なる値となるように構成してもよい。
【００２５】
天井部材１７は、例えばステンレス製などの金属製の天井本体１７１と、この天井本体１７１の略中央部に設けられた開口１７２と、この開口１７２を塞ぐように配置された例えばステンレス製などの金属製の網部１７３と、例えばステンレスなどの金属板を折り曲げて形成され、一端が天井本体１７１の前端部に固定された係止部１７４とを備えている。また、蝶番１７５の一片が背面部材１５の上端部に取り付けられ、他片が天井本体１７１の後端部に取り付けられており、この蝶番１７５によって、天井部材１７は、図１および図２の矢印ＡＲ２に示すように、火袋空間３の上面を開閉可能になっている。すなわち、天井部材１７を背面部材１５の後側に倒した状態（図２の破線）で、前面部材１６を前側に倒すことが可能になっている。また、前面部材１６が起立した状態で天井部材１７を蝶番１７５のピン回りに回転させ、係止部１７４の有する弾性で前面部材１６の上端部を係止した状態（図２の実線）で、天井部材１７が網部１７３を介して換気可能に火袋空間３を覆うこととなる。なお、この実施形態では図１および図２に示すようにロウソク２よりも十分に小さい間隔の網部１７３を設けているが、網部の代わりにパンチング孔を有する金属板などで開口１７２を塞ぐように構成してもよい。この点については後の実施形態においても同様である。
【００２６】
次に、上記のように構成された神仏具１が転倒したときにロウソク２の火が消される手順について、図５および図６を参照しつつ詳述する。図５および図６は図１の神仏具１が転倒した状態を示す側断面図である。例えばロウソク２に火が灯った状態で人やペットなどが神仏具１に接触したり、地震の発生などにより神仏具１が転倒することがあり得る。このとき、図１の神仏具１は、略円盤状または略円錐台状の基台１１を備えているため、どの向きにも同じように転倒する可能性がある。
【００２７】
しかしながら、この実施形態の神仏具１は、図３を参照して説明したように構成されているため、転倒時の神仏具１の姿勢はほぼ一定となる。すなわち、基台１１は略円盤状または略円錐台状を有しており、基台１１の底面形状は円形であり、上方からの平面視で基台１１と重なるように基台１１の上面に支持台１２が配置されている。そして、背面部材１５は水平面内で基台１１の底面の半径Ｒ０よりも大きな第１の曲率半径Ｒ１で後側に湾曲しながら支持台１２に対して弾性部材１３を介して上向きに取り付けられている。また、前面部材１６は基台１１の底面の半径Ｒ０よりも大きな第２の曲率半径Ｒ２で前側に湾曲しており、起立状態で背面部材１５とで水平面内で略楕円断面を有する火袋空間３を形成している。しかも、火袋空間３の断面は基台１１の底面の直径Ｄ０と略同一の長軸Ｌ１を有する略楕円形状となっており、その短軸Ｌ２は基台１１の底面の直径Ｄ０よりも短い。
【００２８】
神仏具１が上記したように構成されているため、神仏具１が転倒した際には、前面部材１６または背面部材１５の湾曲凸面が床面に向くとともに、ロウソク立て１４が天井部材１７よりも高くなるように前面部材１６および背面部材１５が傾斜した状態で安定して静止する。図５および図６では、転倒した神仏具１は、前面部材１６の上端部と基台１１の周縁部との２箇所が床面に接触し、前面部材１６の湾曲凸面が床面に向くとともに、ロウソク立て１４が天井部材１７よりも高くなるように前面部材１６および背面部材１５が傾斜した状態で静止している。
【００２９】
図５（ａ）は神仏具１が転倒したときの衝撃でロウソク２がロウソク立て１４の芯金１４４から完全に抜け落ちた状態を示し、図５（ｂ）はロウソク２がロウソク立て１４の芯金１４４から完全に抜け落ちずに途中で止まった状態を示している。図５（ａ）に示すように、神仏具１が転倒してロウソク立て１４の芯金１４４からロウソク２が完全に抜け落ちたとしても、火袋空間３は弾性部材１３の上面、天井部材１７、前面部材１６および背面部材１５で取り囲まれているため、ロウソク２は火袋空間３内に止まり、神仏具１から外に転がり出るのを効果的に防止することができる。
【００３０】
また、図５（ａ）に示すように、神仏具１が転倒したときの衝撃でロウソク２がロウソク立て１４の芯金１４４から完全に抜け落ちた場合には、ロウソク２の芯２１が天井部材１７に接触する。また、図５（ｂ）に示すように、神仏具１が転倒したときの衝撃でロウソク２がロウソク立て１４の芯金１４４から抜け落ちずに途中で止まった場合には、火袋空間３の水平面内での断面の短軸Ｌ２が基台１１の底面の直径Ｄ０に比べて短い値になっているため、ロウソク２の芯２１が下方の部材（図５（ｂ）では前面部材１６）に接触し易くなっている。そして、ロウソク２の芯２１が天井部材１７や前面部材１６などの部材の一部に接触すると、芯２１の温度が急激に低下してロウの気化が止まってロウソク２の火が消される。
【００３１】
図６（ａ）（ｂ）（ｃ）は神仏具１が転倒してもロウソク２がロウソク立て１４にしっかりと支持されたまま止まっており、転倒の衝撃でも火が消えずに灯ったままの状態を示している。なお、図６（ａ）（ｂ）（ｃ）における星印は、気化したロウが燃焼した後のガス成分を模式的に示している。同図に示すように、ロウソク立て１４が天井部材１７よりも高くなるように前面部材１６および背面部材１５が傾斜した状態で神仏具１は転倒しているため、燃焼した後のガス成分は次のように流動していく。すなわち、図６（ａ）に示すように、燃焼した後のガス成分は、背面部材１５に衝突した後、一部は天井部材１７側に流れるものの、大部分は傾斜した背面部材１５に沿って上昇して基台１１側に流れていく。そのまま火が灯った状態が続くと、図６（ｂ）に示すように、燃焼した後のガス成分が火袋空間３の基台１１側に充満していき、やがてロウソク２の芯２１の周辺空間にまで充満すると、図６（ｃ）に示すように、ロウソク２の火が消される。なお、ここでは前面部材１６の湾曲凸面が床面に向いた状態で神仏具１が静止した場合について説明したが、背面部材１５の湾曲凸面が床面に向いた場合も上記と同様にしてロウソク２の転出および消火が実行される。
【００３２】
以上のように、本実施形態によれば、弾性部材１３の上面に配置されたロウソク立て１４を前後方向から取り囲むように前面部材１６および背面部材１５がそれぞれ配置されて火袋空間３が形成されるとともに、その火袋空間３を上側より換気可能に覆うように天井部材１７が配置されている。このように形成された火袋空間３内でロウソク２に火が灯されるため、風の影響によってロウソク２が消えるのを防止することができる。また、室内のカーテンなどがロウソク２の火に接触するのを防止することができる。
【００３３】
また、本実施形態によれば、神仏具１が転倒してロウソク立て１４からロウソク２が抜け落ちたとしても、火袋空間３は弾性部材１３の上面、天井部材１７、前面部材１６および背面部材１５で取り囲まれているため、ロウソク２は火袋空間３内に止まり、神仏具１から外に転がり出るのを効果的に防止することができる。しかも、抜け落ちたロウソク２の芯２１は火袋空間３を取り囲む部材（弾性部材１３、天井部材１７、前面部材１６および背面部材１５）の一部に接触するため、ロウソク２の火が消されるという利点がある。
【００３４】
また、本実施形態では、後側に湾曲した背面部材１５と前側に湾曲した前面部材１６とで神仏具１の火袋空間３を形成し、その火袋空間３の水平面内での断面は、基台１１の底面の直径Ｄ０と略同一の長軸Ｌ１を有する略楕円形状となっており、その短軸Ｌ２は基台１１の底面の直径Ｄ０よりも短くなっている。したがって、神仏具１が転倒した際には、前面部材１６または背面部材１５の湾曲凸面が床面に向くとともにロウソク立て１４が天井部材１７よりも高くなるように前面部材１６および背面部材１５が傾斜した状態で安定して静止する。このため、本実施形態によれば、神仏具１が転倒しても火が消えずに灯ったままであったとしても、燃焼した後のガス成分の多くは火袋空間３の基台１１側に流れて充満していき、やがてロウソク２の芯２１の周辺空間にまで充満すると、ロウソク２の火が消されるという利点がある。
【００３５】
また、本実施形態では、支持台１２の上面に弾性部材１３を配置し、前面部材１６および背面部材１５を支持台１２に弾性部材１３を介して取り付けて背面部材１５および前面部材１６の直下位置で、起立状態の前面部材１６の下端部と背面部材１５の下端部とで形成される略楕円形状の開口を塞いでいる。このため、支持台１２の上面と背面部材１５および前面部材１６との気密性を高めることができ、神仏具１が転倒した際に、燃焼した後のガス成分が火袋空間３の基台１１側から漏れるのをより効果的に防止する。その結果、上記ガス成分が火袋空間３に充満する時間を短縮してロウソク２の火をより短時間に消すことが可能となる。このように弾性部材１３を設けることによる作用効果は以下に説明する実施形態においても同様である。
【００３６】
また、本実施形態では、前面部材１６は１つの窓部１６２と窓部１６２を塞ぐように配置された耐熱性透明部材１６３を有しているため、ロウソク２の光を神仏具１から耐熱性透明部材１６３を介して取り出し可能となっている。しかも、前面部材１６は基台１１の底面の半径Ｒ０よりも大きな曲率半径Ｒ２で前側に湾曲した形状を有しているため、窓部１６２および耐熱性透明部材１６３を幅方向（火袋空間３の略楕円断面における長軸Ｌ１の方向）に広く、しかもロウソク２に近づけて設けることができ、ロウソク２の光を効率的に取り出すことができる。
【００３７】
また、本実施形態では、背面部材１５は１つの窓部１５２と窓部１５２を塞ぐように配置された耐熱性透明部材１５３を有しているため、ロウソク２の光を神仏具１から耐熱性透明部材１５３を介して神仏具１の後側に取り出し可能となっている。しかも、前面部材１６は基台１１の底面の半径Ｒ０よりも大きな曲率半径Ｒ１で後側に湾曲した形状を有しているため、窓部１５２および耐熱性透明部材１５３を幅方向（火袋空間３の略楕円断面における長軸Ｌ１の方向）に広く、しかもロウソク２に近づけて設けることができ、神仏具１の後側にロウソク２の光を効率的に取り出すことができる。したがって、仏壇に配置するのに好適である。
【００３８】
なお、本発明は上記した実施形態に限定されるものではなく、その趣旨を逸脱しない限りにおいて上述したもの以外に種々の変更を行うことが可能である。例えば、上記実施形態では、基台１１を神仏具１の構成部材の最下段の部材としているが、これに限られず、以下のように形状を有して基台１１の底面に取り付けられた補助部材をさらに備えるようにしてもよい。この点に関しては、後で説明する神仏具１ｂ〜１ｄにおいても同様である。
【００３９】
図７は補助部材を備えた神仏具を示す斜視図であり、図８は図７のＢ−Ｂ線断面図である。また、図９は図７と異なる形状の補助部材を示す断面図である。なお、図７ないし図９において、上記実施形態と同一要素については同一符号を付している。図７の神仏具１ａは、基台１１の底面に取り付けられた補助部材１８を備えている。この補助部材１８は略円盤形状で、基台１１に同心となるように基台１１の底面に取り付けられている。また、補助部材１８の直径をＤ１とすると、Ｄ０＜Ｄ１、すなわち補助部材１８の直径Ｄ１は基台１１の底面の直径Ｄ０より大きくなっている。
【００４０】
図７の形態でも、上記実施形態と同様に、神仏具１ａが転倒したときにロウソク２の火が消されるという作用効果を奏することができる。さらに、図７のように補助部材１８を設けることにより、神仏具１ａの設置面積がより広がり、神仏具１ａの転倒をより効果的に防止することができる。また、例えば図６に示すように神仏具１ａが転倒した際に、前面部材１６および背面部材１５の傾斜がより大きくなり、燃焼した後のガス成分が火袋空間３の基台１１側に流れ込む割合が増大してロウソク２の火をより短時間に消すことが可能となる。なお、図７、図８では補助部材１８を略円盤形状としているが、基台１１の底面の直径Ｄ０よりも長い直径を有する円を底面とする略円錐台形状としてもよい。
【００４１】
また、図９に示すように、略楕円盤形状の補助部材１８ａを備えるようにしてもよい。図９の補助部材１８ａは、基台１１の底面の直径Ｄ０と略同一長さの短軸Ｌ３を有する略楕円盤形状を有し、長軸が火袋空間３の水平断面の長軸とほぼ一致するように基台１１の底面に取り付けられている。図９のような補助部材１８ａを設けることによっても、神仏具１ａの設置面積がより広がり、神仏具１ａの転倒をより効果的に防止することができる。また、補助部材１８ａの長軸が火袋空間３の水平断面の長軸とほぼ一致するように基台１１の底面に取り付けられているため、神仏具１ａが転倒する際は、前面部材１６または背面部材１５の湾曲凸面が床面や地面に向く方向に転倒することとなる。なお、図９では補助部材１８ａを略楕円盤形状としているが、基台１１の底面の直径Ｄ０と略同一長さの短軸を有する略楕円を底面とする略楕円錐台形状としてもよい。
【００４２】
また、図７の神仏具１ａでは、上記実施形態と異なる形態の天井部材１７ａを採用している。すなわち、図７の天井部材１７ａは、略中央部に開口１７６を有する蓋体１７７と、開口１７６を塞ぐように配置された網部１７８とを有している。そして、背面部材１５と起立状態の前面部材１６の上端部に上側から蓋体１７７を被せることにより、天井部材１７ａが火袋空間３を換気可能に覆うようになっている。
【００４３】
また、上記実施形態では、基台１１の上面に支持台１２を配置し、支持台１２の上面に弾性部材１３を配置し、弾性部材１３を介して前面部材１６および背面部材１５を支持台１２に取り付けているが、これに限られない。例えば弾性部材１３を配置せずに、前面部材１６および背面部材１５を支持台１２に直接取り付けてもよい。また、例えば支持台１２を配置せずに、弾性部材１３を介して前面部材１６および背面部材１５を基台１１に取り付けてもよい。また、次に図１０を参照して説明するように、例えば支持台１２および弾性部材１３を配置せずに、前面部材１６および背面部材１５を基台１１に直接取り付けてもよい。
【００４４】
図１０は、支持台および弾性部材を配置せずに、前面部材１６および背面部材１５を基台１１に直接取り付けて構成した神仏具１ｂを示す斜視図である。なお、図１０において、上記実施形態と同一要素については同一符号を付している。図１の神仏具１ｂでは、蝶番１６４の一片が前面部材１６の前側の下端に取り付けられ、他片が基台１１の上面に取り付けられている。そして、この蝶番１６４によって、前面部材１６は、図１０の矢印ＡＲ１に示すように、基台１１に対して前側に起倒可能になっている。
【００４５】
なお、図１０では、蝶番１６４の他片がロウソク立て１４の下側に位置するように基台１１の上面に取り付けられているが、これに限られず、起立時の前面部材１６の前側に位置するように、蝶番１６４の他片を基台１１の上面に取り付けてもよい。また、基台１１の上面にスリット状の孔を穿設して、蝶番１６４のヒンジピン１６４ａを埋め込むようにしてもよい。また、前面本体１６１の下端に細長の隙間を設けて、蝶番１６４のヒンジピン１６４ａを埋め込むことによりヒンジピン１６４ａが前面部材１６の前側に突出しないようにしてもよい。要は、前面部材１６が基台１１に対して前側に起倒可能に構成されるように、蝶番１６４を前面部材１６および基台１１に取り付ければよい。
【００４６】
また、例えば弾性部材を配置せずに、前面部材１６および背面部材１５を支持台１２に直接取り付ける場合にも、図１０と同様に、蝶番１６４の一片を前面部材１６の前側の下端に取り付け、他片を支持台１２の上面に取り付ければよい。但し、前面部材１６および背面部材１５を支持台１２や基台１１に直接取り付けずに、弾性部材１３を介して取り付けた方が、以下の理由で好ましい。すなわち、上記したように、支持台１２または基台１１の上面と前面部材１６および背面部材１５との気密性を高められるので好ましい。さらに、前面部材１６の厚みや蝶番１６４のヒンジピンの幅分の逃げを弾性部材１３によって容易に形成できるため、図１などに示すように、蝶番１６４の一片を前面部材１６の前側でなくて後側の下端に取り付けることができるので、見映えの点で好ましい。
【００４７】
また、ロウソク立て１４は上記実施形態に示した構成に限られない。例えば２本のロウソクが立てられるように構成してもよい。
【００４８】
ところで上記実施形態にかかる神仏具１、１ａはいわゆる灯籠であり、ロウソク２のみを使用するためのものであったが、例えば図１１に示すように、ロウソク立て１４にロウソク用の芯金１４４のみならず線香保持部４を並設してもよい。この場合、神仏具１ｃではロウソク２および線香５を同時使用可能となる。
【００４９】
図１１は本発明にかかる神仏具の他の実施形態を示す斜視図である。同図に示す実施形態では、ロウソク立て１４の上面右端部にロウソク用の芯金１４４が取り付けられるとともに、上面左端部に支持板４１が固定されている。また、この支持板４１には、２本のコイル状保持部材４２が上方に延設されている。各コイル状保持部材４２は線香５の直径と同程度の内径を有する中空筒形状となっており、線香５の下端部をコイル状保持部材４２の中空筒部に圧入すると、線香５がコイル状保持部材４２によりしっかりと保持されて支持される。本実施形態では、支持板４１および保持部材４２により線香保持部４が形成されており、神仏具１ｃが転倒したとしても、線香５が保持部材４２から抜け出すことなく保持されて神仏具１ｃから転がり出すのを効果的に防止することができる。なお、保持部材４２の形状はコイル形に限定されるものではなく、線香５をしっかりと保持する構造であれば特に限定されるものではない。
【００５０】
また、線香５は線香保持部４に保持されているために、転倒直後においても線香５を焚いた状態のままであるが、ロウソク２と同様に燃焼した後のガス成分が火袋空間３（この実施形態では火袋空間３は香炉空間としても機能し、本発明の「内部空間」に相当する）に充満して線香５の火を確実に消すことができる。
【００５１】
図１３は本発明にかかる神仏具の別の実施形態を示す斜視図である。この実施形態にかかる神仏具１ｄが図１１に示す実施形態と大きく相違する点は、線香保持部４がロウソク立て１４と分離して設けられている点である。なお、その他の構成は基本的に同一であるため、同一構成については同一符号を付して説明を省略する。
【００５２】
この神仏具１ｄでは、弾性部材１３に左右２つの貫通孔（図示省略）が形成されるとともに各貫通孔に対して円筒状の支持部６１、６２が取り付けられている。そして、これらの支持部６１、６２に対してロウソク立て１４および線香保持部４が挿脱自在に設けられている。すなわち、ロウソク立て１４は、支持部６１、６２の中空内径よりも細い外径を有する円筒部材１４５と、支持部６１の外径よりも太く円筒部材１４５の上端部に取り付けられた円環部材１４６とを有しており、円筒部材１４５を支持部６１、６２の中空部に挿入すると、円筒部材１４５と円環部材１４６の段差部で支持部６１、６２に係止されるように構成されている。また、同図への図示は省略されているが、円筒部材１４５の側面に係合部が設けられるとともに係合部に対応して支持台１２に係合バネが設けられており、円筒部材１４５を支持部６１、６２の中空部に挿入した際に係合部が係合バネと係合してロウソク立て１４が簡単に貫通孔から抜け出すのが防止される。もちろん、係合バネの付勢力よりも強い力でロウソク立て１４を貫通孔から引き出すことでロウソク立て１４を取り出すことができる。そして、円環部材１４６の内にはコイル状のロウソク支持部１４７が設けられており、コイル内にロウソク２の下端部を挿入することでロウソク２を支持可能となっている。なお、同図中の符号１４８はロウソク立て１４のハンドリング性を高めるために円環部材１４６に取り付けられた取手部である。
【００５３】
また、線香保持部４もロウソク立て１４と同様に、支持部６１、６２の中空内径よりも細い外径を有する円筒部材４３を有している。そして、支持部６１の外径よりも幅広のフランジ部４４が円筒部材４３の上端部に取り付けられており、円筒部材４３を支持部６１、６２の中空部に挿入すると、フランジ部４４の下面が支持部６１、６２で係止されるように構成されている。なお、円筒部材４３の側面に上記係合バネに係合可能な係合部が設けられており、線香保持部４が簡単に貫通孔から抜け出さない点についてはロウソク立て１４と同様である。また、フランジ部４４の中央部に複数本（図１３の実施形態では５本）のコイル状保持部材４２がそれぞれ上下方向に延設されており、各保持部材４２に対して線香５を圧入することで線香５がコイル状保持部材４２によりしっかりと保持されて支持される。
【００５４】
このように構成された神仏具１ｄにおいても、上記実施形態と同様に、神仏具１ｄが転倒したとしても、ロウソク２および線香５が神仏具１ｄから転がり出すのを防止することができるとともに、転倒後に燃焼したガス成分が内部空間３に充満することでロウソク２および線香５を確実に消火することができる。
【００５５】
なお、図１〜図１０に示す実施形態はロウソク２のみを使用するためのものであり、また図１１〜図１３に示す実施形態はロウソク２および線香５を同時使用可能なものであったが、ロウソク立て１４を設けずに線香保持部４のみを設けてもよい。この場合、神仏具は線香立てや香炉として機能しており、線香５が保持部材４２によりしっかりと保持されて支持されるため、この神仏具が転倒したとしても、線香５が神仏具から転がり出すのを防止することができる。
【００５６】
また、本実施形態では、後側に湾曲した背面部材１５と前側に湾曲した前面部材１６とで神仏具の香炉空間（本発明の「内部空間」に相当）３を形成し、その香炉空間３の水平面内での断面は、基台１１の底面の直径Ｄ０と略同一の長軸Ｌ１を有する略楕円形状となっており、その短軸Ｌ２は基台１１の底面の直径Ｄ０よりも短くなっている。したがって、神仏具が転倒した際には、前面部材１６または背面部材１５の湾曲凸面が床面に向くとともに線香保持部４が天井部材１７よりも高くなるように前面部材１６および背面部材１５が傾斜した状態で安定して静止する。このため、本実施形態によれば、神仏具が転倒しても線香が焚かれたままであったとしても、ガス成分の多くは香炉空間３の基台１１側に流れて充満していき、やがて線香５の先端周辺空間にまで充満すると、線香５を消火することができる。
【符号の説明】
【００５７】
１、１ａ、１ｂ、１ｃ、１ｄ…神仏具、２…ロウソク、３…火袋空間（内部空間）、４…線香保持部、５…線香、１１…基台、１２…支持台、１３…弾性部材、１４…ロウソク立て、１５…背面部材、１６…前面部材、１６２…窓部、１６３…耐熱性透明部材、１７、１７ａ…天井部材、１８、１８ａ…補助部材、Ｄ０…基台の底面の直径、Ｄ１…略円盤形状の補助部材の底面の直径、Ｌ１…火袋空間の断面の長軸、Ｌ２…火袋空間の断面の短軸、Ｌ３…略楕円形状の補助部材の短軸、Ｒ０…基台の底面の半径
【図１】
2011127321.tif 000003
【図２】
2011127321.tif 000004
【図３】
2011127321.tif 000005
【図４】
2011127321.tif 000006
【図５】
2011127321.tif 000007
【図６】
2011127321.tif 000008
【図７】
2011127321.tif 000009
【図８】
2011127321.tif 000010
【図９】
2011127321.tif 000011
【図１０】
2011127321.tif 000012
【図１１】
2011127321.tif 000013
【図１２】
2011127321.tif 000014
【図１３】
2011127321.tif 000015